(57)【要約】【課題】作業用フード本体の顔開口部からの塵埃や唾などの飛散を確実に防止し、装着性も容易とした防塵用の布製作業用フードを提供する。【解決手段】布製フード本体２前面の顔開口部３の内周縁部に沿って略連続して設けられた伸縮性を有する帯状の開口部伸縮帯部４と、フード本体２の内部において、こめかみ部付近から後頭部にかけて略連続して設けられ、両端部が開口部伸縮帯部４に連続されている伸縮性を有する帯状の内部伸縮帯部６と、を有し、開口部伸縮帯部４は、その両側が内部伸縮帯部６によって頭部の後方に引っ張られる。【選択図】図５
2018131702.tif 000002
【特許請求の範囲】
【請求項１】
作業者の頭部から首部にかけて頭部全体を覆う布製のフード本体を有する作業用フードにおいて、
フード本体前面の顔開口部の内周縁部に沿って略連続して設けられた伸縮性を有する帯状の開口部伸縮帯部と、
フード本体の内部において、こめかみ部付近から後頭部にかけて略連続して設けられ、両端部が開口部伸縮帯部に連続されている伸縮性を有する帯状の内部伸縮帯部と、を具備し、
前記内部伸縮帯部は、その後部略中間部が前記フード本体内部内面に結合され、両側部はフード本体内部内面と分離されているることを特徴とする作業用フード。
【請求項２】
請求項１に記載の作業用フードにおいて、
前記フード本体下部の襟首部外周にかけて略連続して設けられ、開口部伸縮帯部の下部分に連結する伸縮性を有する帯状の首部伸縮帯部を具備することを特徴とする作業用フード。
【請求項３】
請求項１又は２に記載の作業用フードにおいて、
前記開口部伸縮帯部は、前記フード本体前面の略窓形に開口形成された顔開口部の内周縁部に沿って略枠形に略連続して設けられ、開口部伸縮帯部を形成する伸縮帯は、その自然状態において、略枠形の形状に沿った略湾曲状に形成されていることを特徴とする作業用フード。
【請求項４】
請求項１乃至３のいずれか１項に記載の作業用フードにおいて、
前記内部伸縮帯部の前記両端部に対向するフード本体には、眼鏡の両弦部が、フード本体の内面と内部伸縮帯部の端部外面間に挿入されるスリット開口部が形成されていることを特徴とする作業用フード。
【請求項５】
請求項１乃至４のいずれか１項に記載の作業用フードにおいて、
前記フード本体の下縁部には、胸元上部、両肩部及び襟首下部を連続して覆う布製の裾部が設けられていることを特徴とする作業用フード。
【発明の詳細な説明】
【技術分野】
【０００１】
本発明は、例えば、食品の調理現場等で作業者が装着して用いる防塵用の作業用フードに関する。
【背景技術】
【０００２】
食品を製造する工場で作業する作業者は、作業者に付着した塵埃や頭髪等が食品に混入することを防ぐために、清潔な作業着及び作業者の頭部、首部及び肩部を覆う防塵機能を有する作業用フードが必須である。
作業用フードには、下記の機能が求められる。
・作業者の頭部首部肩部の塵埃、頭髪、フケ等を外部に出さないこと（密着性）。
・装着が簡単なこと（装着方法には、前開き留め具式と被り式がある）。
・作業の邪魔にならないこと（フィット性）。
・様々な体型髪形の作業者に適応できること。
【０００３】
下記特許文献１及び２には、防塵機能を目的とした作業用フードが示されている。
特許文献１の作業用フード（クリーンルーム用帽子）では、フード本体の内側に頭の周囲を取り巻く鉢巻き状のゴム帯を連続して逢着して設けている。この特許文献１の作業用フードは、前開き留め具式であって、前開き部、顔開口部、及びフード本体の裾部からの塵埃や頭髪等の飛散が避けられない。
特許文献２の作業用フード（防塵用頭巾）は、被り式であって、伸縮バンドを、フード本体の顔開口部の額に沿ってと顔開口部の顎下に沿って、及びフード本体の頭部外面に沿って連結して設けている。この特許文献２の作業用フードでは、顔開口部の前面下方の口部が開放されており、別途口部を覆うマスクなどの使用が避けられない。また、フード本体の裾部からの塵埃や頭髪等の飛散も懸念される。
【先行技術文献】
【特許文献】
【０００４】
【特許文献１】特許第２８０６６６４号公報
【特許文献２】特許第４００７９７９号公報
【発明の概要】
【発明が解決しようとする課題】
【０００５】
作業用フードの顔開口部から頭髪などが落ちないようにするためには、顔開口部周囲全体に伸縮性布（織ゴム等）を縫い付けて隙間をなくす方法が有効であるが、そうすると特許文献１の前開き留め具方式ではなく、特許文献２の被り方式となる。特許文献２の被り方式では、顔開口部の前面下方の口部が開放されており、防塵機能としては不完全であるばかりでなく、装着が面倒であり、頭部が大きい作業者や髪の長い作業者には向かない。  顔開口部周囲の伸縮性布を隙間無く顔に密着させるためには、作業用フード本体を小さくする方法があるが、装着が一層面倒となる。
また、特許文献１に記載の鉢巻き状のゴム帯は、フード本体の内側に連続して逢着して設けられており、特許文献２の頭部外周の伸縮バンドは、伸縮バンドによりフード本体を外側から押さえるもので、作業者の各種の髪形等に対応して髪の乱れを全体として包持することは困難である。
【０００６】
本発明は、上記のような課題を解決するものであり、作業用フード本体の顔開口部からの塵埃や唾などの飛散を確実に防止し、作業者の各種の髪形等に対応して髪の乱れを全体として包持することことが可能であり、装着性も容易とした防塵用の布製作業用フードを提供することを目的としている。
【０００７】
本発明は、被り易い、被り方式とし、作業用フード本体下部の裾部から頭髪などが落ちにくくした防塵用の布製作業用フードを提供することを目的としている。
【０００８】
メガネを掛けて作業する作業者のためには、作業用フード本体の顔開口部の両側縁部からメガネの弦を差し込み（特許文献１）、或いは、作業用フード本体のこめかみ部に弦差し込み用の開口部を設け（特許文献２）る必要があり、この開口部から頭髪などが落ちる可能性がある。本発明では、メガネを掛けて作業する作業者による作業用フード本体の顔開口部及びその付近からの頭髪などの落下を防止することを目的とする。
【課題を解決するための手段】
【０００９】
次に、上記の課題を解決するための手段を、実施の形態に対応する図面を参照して説明する。
【００１０】
本発明は、作業者の頭部から首部にかけて頭部全体を覆う布製のフード本体２を有する作業用フード１において、フード本体２前面の顔開口部３の内周縁部に沿って略連続して設けられた伸縮性を有する帯状の開口部伸縮帯部４と、フード本体２の内部において、こめかみ部付近から後頭部にかけて略連続して設けられ、両端部が開口部伸縮帯部４の上部分に連続されている伸縮性を有する帯状の内部伸縮帯部６と、を具備し、内部伸縮帯部６は、その後部略中間部がフード本体２内部内面に結合され、両側部はフード本体２内部内面とは分離されている、作業用フードを特徴としている。
開口部伸縮帯部４の両端部は開口部伸縮帯部４の中間部分に連結させるようにしても差し支えない。
【００１１】
上記本発明の作業用フードでは、フード本体２前面の顔開口部３の内周縁部が開口部伸縮帯部４に沿って覆われている。この開口部伸縮帯部４は、両側の上部乃至中間部が内部伸縮帯部６によって頭部の後方に引っ張られるところから顔開口部３の周囲に密着し、この開口部からの塵埃などの飛散が有効に防止される。また、顔の大小及び様々な顔の形状にも密着する。
【００１２】
作業者の髪は、フード本体２の内部において、内部伸縮帯部６に押さえられ、その外周全体がフード本体２によって覆われることになるため、髪の毛の外部への落下が有効に防止される。また作業用フードによって作業者の髪型を乱し又は変形させることがない。
【００１３】
本発明は、フード本体２下部の顎下から襟首部外周にかけて略連続して設けられ、開口部伸縮帯部４の下部分に連結する伸縮性を有する帯状の首部伸縮帯部５を具備することを特徴としている。
【００１４】
首部伸縮帯部５により、フード本体２の首部周辺を絞ることになり、被るとき、伸縮させて首部伸縮帯部５を開いて頭部に被せることができ、裾部の中折れがなく装着が容易となる。
さらに、例えば、ロングヘヤーの作業者の髪の毛は、その頭頂部付近の外周が、フード本体１の内部において内部伸縮帯部６によって押さえられ、髪の毛の下の部分が首部伸縮帯部５によって押さえられるところから、頭髪などが肩より下まで落ちることを防ぐことができ、フード本体１の裾部８から外部に落下することが防止される。
【００１５】
上記の構成において、首部伸縮帯部５の両端部を開口部伸縮帯部４の下部分の両側に結合させる。または、首部伸縮帯部５を環状に形成し、その中間部分を開口部伸縮帯部４の下部分に結合させることもできる。
【００１６】
請求項３に記載の本発明に係る作業用フードでは、前記作業用フード１において、前記開口部伸縮帯部４は、前記フード本体２前面の略窓形に開口形成された顔開口部３の内周縁部に沿って略枠形に略連続して設けられ、開口部伸縮帯部４は、その自然状態において、略枠形に沿った略湾曲状若しくは円弧状に形成されていることを特徴とする。
【００１７】
上記の構成により、作業用フード１の顔開口部３縁部の開口部伸縮帯部４が作業者の顔面全体に密着する。
【００１８】
開口部伸縮帯部４は、外側ラインから内側ラインに従ってゴム線による伸縮張力が段階的に強く設定され、その自然状態において、内方に湾曲状態又は略円弧状態となる伸縮帯を用いることができる。
開口部伸縮帯部４は、複数本の伸縮帯片の端部同志を略枠形に逢着結合して形成させることができる。また一本の伸縮帯片を略枠形とし、しわになる内縁部を折り込み逢着することにより略枠形に形成させることができる。
【００１９】
請求項４に記載の本発明に係る作業用フードでは、前記作業用フード１において、内部伸縮帯部６の両端部に対向するフード本体２には、眼鏡の両弦部が、フード本体２の内面と内部伸縮帯部６の端部外表面間に挿入されるスリット開口部７が形成されていることを特徴とする。
【００２０】
上記の構成により、眼鏡の両弦部をスリット開口部７から容易に挿入できる。さらに、内部伸縮帯部６の端部の内面がスリット開口部７の裏蓋となり、スリット開口部７から頭髪等が落ちにくくなる。
【００２１】
請求項５に記載の本発明に係る作業用フードでは、前記作業用フード１において、
前記フード本体２の下縁部における、前記開口部伸縮帯部４及び前記首部伸縮帯部５の下縁部には、胸元上部、両肩部及び襟首下部を連続して覆う布製の裾部８が設けられていることを特徴とする。首部伸縮帯部５が省略された本発明の実施態様では、裾部８はフード本体２の下縁部の延長により形成されている。
【発明の効果】
【００２２】
本発明に係る作業用フードによれば、フード本体前面の顔開口部の内周縁部全体が帯状の開口部伸縮帯部に沿って覆われており、この開口部伸縮帯部は、その両側が内部伸縮帯部によって頭部の後方に引っ張られるところから、顔開口部の周囲の顔面に密着し、この開口部からの塵埃などの飛散が有効に防止される。また、顔の大小及び様々な顔の形状にも密着して、開口部からの塵埃などの飛散が一層有効に防止されることになる。
作業者の髪は、フード本体の内部において、内部伸縮帯部に押さえられ、その外周全体がフード本体によって覆われることになるため、髪の毛の外部への落下が有効に防止される。また作業用フードによって作業者の髪型を乱し又は変形させることがない。
【００２３】
また、首部伸縮帯部により、フード本体の首部周辺を絞ることになり、装着時に首部伸縮帯部を開いて頭部に被せることにより、裾部の中折れがなく装着が容易となる。
さらに、例えば、ロングヘヤーの作業者の髪の毛は、その頭部付近の外周が、フード本体の内部において内部伸縮帯部によって押さえられ、髪の毛の下の部分が首部伸縮帯部によって押さえられるところから、頭髪などが肩部より下まで落ちることを防ぐことになり、フード本体の裾部から落下することが防止され、食品などへの作業者の頭髪などの混入が一層有効に防止される。
【００２４】
請求項３に係る本発明の作業用フードでは、開口部伸縮帯部が、フード本体の顔開口部の内周縁部に沿って作業者の顔面全体に密着し、防塵機能を高めることができる。
【００２５】
請求項４に記載の本発明の作業用フードでは、眼鏡の両弦部をフード本体のスリット開口部から容易に挿入でき、さらに、内部伸縮帯部の端部表面がスリット開口部の蓋となり、スリット開口部から頭髪等が落ちにくくなる。
【図面の簡単な説明】
【００２６】
【図１】本発明に係る作業フードの正面図である。
【図２】同側面図である。
【図３】同縦断面図である。
【図４】同横断面図である。
【図５】同使用状態を示す斜視図である。
【図６】本発明に係る作業フードの他の実施形態を示す側面図である。
【発明を実施するための形態】
【００２７】
以下、本発明の実施形態を図面を参照して具体的に説明する。
図１乃至図５は、本発明の実施形態１を示す。
【００２８】
実施形態１の作業用フード１は、作業者の頭部から首部にかけて頭部全体を覆う被り方式の布製のフード本体２を有し、フード本体２の前部には、円形若しくは略枠形の顔開口部３を有している。フード本体２には、フード本体１前面の顔開口部３の内周縁部に沿って略連続して設けられた伸縮性を有する帯状の開口部伸縮帯部４と、フード本体２下部乃至中間部の顎下から襟首部外周にかけて略連続して設けられ、開口部伸縮帯部４の下部分に連結する伸縮性を有する帯状の首部伸縮帯部５と、フード本体２の内部において、こめかみ部付近から後頭部にかけて略連続して設けられ、両端部が開口部伸縮帯部４の上部分乃至中間部に連続されている伸縮性を有する帯状の内部伸縮帯部６と、を有している。
【００２９】
首部伸縮帯部５の両端部が開口部伸縮帯部４の下部分の両側に結合されている。首部伸縮帯部５を環状に形成し、その中間部分を開口部伸縮帯部４の下部分に、開口部伸縮帯部４を左右に引っ張るように逢着して結合させることもできる。
【００３０】
上記開口部伸縮帯部４は、フード本体２前面の略窓形に開口形成された顔開口部３の内周縁部に沿って略枠形に略連続して設けられ、開口部伸縮帯部４は、その自然状態において、略枠形に沿った略湾曲状若しくは円弧状に形成されている。開口部伸縮帯部４は、一本の伸縮帯体を顔開口部３の内周縁部に沿って略枠形に略連続し、両端部分を逢着による結合部４ａにおいて略環状に結合させる。
【００３１】
開口部伸縮帯部４は、外側ラインから内側ラインに従ってゴム線による伸縮張力が段階的に強く設定され、その自然状態において、内方に湾曲状態又は略円弧状態となる円弧状伸縮帯を用いる。
開口部伸縮帯部４は、複数本の伸縮帯片の端部同志を略枠形に逢着結合して形成させることができる。また一本の伸縮帯片を略枠形とし、内縁部に形成されるしわを折り込み逢着することにより略枠形に形成させることもできる。
【００３２】
上記開口部伸縮帯部４の構成により、作業用フード１の顔開口部３縁部の開口部伸縮帯部４が作業者の顔面全体に密着する。
【００３３】
上記内部伸縮帯部６は、その後部略中間部の結合部６ａがフード本体２内部内面に逢着結合され、内部伸縮帯部６の両側部はフード本体２内部内面と分離されている。内部伸縮帯部６の両端部に対向するフード本体２には、眼鏡の両弦部が、フード本体２の内面と内部伸縮帯部６の端部外表面間に挿入されるスリット開口部７が形成されている。図４に示されるように、内部伸縮帯部６は、フード本体２内部内面に逢着結合された自然状態では、対応するフード本体２の内周長さよりも、やや短く形成されている。内部伸縮帯部６の両端部は、スリット開口部７の前部におけるフード本体２の裏面に逢着により結合されている。
【００３４】
眼鏡の両弦部はスリット開口部７から容易に挿入でき、内部伸縮帯部６の端部の内面がスリット開口部７の裏蓋となり、スリット開口部７から頭髪等が落ちにくくなる。
【００３５】
上記フード本体２の下縁部における、開口部伸縮帯部４及び首部伸縮帯部５の下縁部には、胸元上部、両肩部及び襟首下部を連続して覆う布製の裾部８が設けられている。１０はつば部である。
【００３６】
裾部８の下縁部には、作業者の上半部を覆うケープ部９が設けられている。ケープ部９はメッシュ生地で形成することができる。
【００３７】
ケープ部９は、通常作業着の中に入れて作業をするが、肩部が重ね着になるため暑くなる。ケープ部９をメッシュ生地とすることにより、通気性を高め厚くならず、暑くならない。
【００３８】
上記の作業用フード１では、フード本体２前面の顔開口部３の内周縁部が開口部伸縮帯部４に沿って覆われている。この開口部伸縮帯部４は、両側が内部伸縮帯部６によって頭部の後方に引っ張られるところから、顔開口部３の周囲に密着する。さらに、この実施形態１では、下部分の両側が首部伸縮帯部５によって首部の後方に引っ張られるところからも、顔開口部３の周囲に密着し、この開口部からの塵埃などの飛散が有効に防止される。また、顔の大小及び様々な顔の形状にも密着する。
【００３９】
また、首部伸縮帯部５により、フード本体２の首部周辺を絞ることになり、被るとき、伸縮させて首部伸縮帯部５を開いて頭部に被せることができ、裾部の中折れがなく装着が容易となる。
さらに、例えば、ロングヘヤーの作業者の髪の毛は、その頭部付近の外周が、フード本体１の内部において内部伸縮帯部６によって押さえられ、髪の毛の下の部分が首部伸縮帯部５によって押さえられるところから、頭髪などが肩より下まで落ちることを防ぐことができ、フード本体１の裾部８から外部に落下することが防止される。
また、内部伸縮帯部６と首部伸縮帯部５により、作業者の頭部及び首部の上下の外周が略平行に押さえられ、作業用フードのフィット性が確保されるとともに、作業中のズレや脱落が防止される。
【００４０】
図６は、本発明の実施形態２を示す。
実施形態２の作業用フード１０１では、実施形態１における首部伸縮帯部が省略されている。首部伸縮帯部が省略された実施態様２では、裾部８はフード本体２の下縁部の延長により形成されている。
実施形態２を示す図６において、実施形態１と共通する箇所には共通する参照符号を付してその詳細な説明は省略する。
【符号の説明】
【００４１】
１，１０１…作業用フード、２…フード本体、３…顔開口部、４…開口部伸縮帯部、５…首部伸縮帯部、６…内部伸縮帯部、６ａ…結合部、７…スリット開口部、８…裾部、９…ケープ部、１０…つば部
【図１】
2018131702.tif 000003
【図２】
2018131702.tif 000004
【図３】
2018131702.tif 000005
【図４】
2018131702.tif 000006
【図５】
2018131702.tif 000007
【図６】
2018131702.tif 000008